(57)【要約】      （修正有）【課題】  低彩度部分の再現性と有彩色の再現性とを両立させることのできる色変換方法及び色変換方法に用いるプロファイルデータの作成方法及び装置を提供する。【解決手段】  均等色空間としてＬａｂを用い、ＲＧＢからＬａｂ空間へ第１の色変換をし、均等色空間からカラーマッピング色空間に第２の色変換をする。第２の色変換で、低彩度領域Ｒに含まれる色信号と、そうでない色信号とにより、カラーマッピング色空間への変換方法を異ならせることで、低彩度領域Ｒに含まれる色信号の再現性とそれ以外の色信号の再現性とを両立させる。【選択図】  図２
2005353001.tif 000002
【特許請求の範囲】
【請求項１】
所定の画像出力装置の色信号を、複数種の画像出力装置の色信号を相互変換するための共通色空間であるカラーマッピング色空間の色信号へ変換する色変換方法であって、
前記所定の画像出力装置の色信号を均等色空間の色信号Ａへ変換する第１の変換工程と、
前記均等色空間の色信号Ａを前記カラーマッピング色空間の色信号へ変換する第２の変換工程とを有し、
前記第２の変換工程は、前記均等色空間で予め定められた低彩度領域Ｒ内の色信号と、前記低彩度領域Ｒ外の色信号とにおいて、異なる方法で前記カラーマッピング色空間の色信号への変換を行うことを特徴とする色変換方法。
【請求項２】
前記所定の画像出力装置のグレイライン上において前記色信号Ａと同じ明度を有する色信号を色信号Ｐとし、前記均等色空間で無彩色を示す色信号を色信号Ｏとしたとき、前記低彩度領域Ｒが、前記信号Ｐ及び信号Ｏを含む領域として規定されることを特徴とする請求項１記載の色変換方法。
【請求項３】
前記第２の変換工程は、前記色信号Ａが前記低彩度領域Ｒ外に存在する場合には、前記変換後の色信号として前記色信号Ａをそのまま出力し、前記色信号Ａが前記低彩度領域Ｒ内に存在する場合には、前記均等色空間において、前記色信号Ａと前記色信号Ｐとを通る直線Ｇと前記低彩度領域Ｒとの交点を色信号Ｂとし、前記色信号Ｂと前記色信号Ｏとを通る直線上の色信号を色信号Ｄとするとき、前記色信号Ｂと前記色信号Ｏとの距離ＢＯと前記色信号Ｂと前記色信号Ｄとの距離ＢＤとの比が、前記色信号Ｂと前記色信号Ｐとの距離ＢＰと、前記色信号Ｂと前記色信号Ａとの距離ＢＡとの比と等しくなるような色信号Ｄを前記変換後の色信号として出力することを特徴とする請求項２記載の色変換方法。
【請求項４】
前記直線Ｇと前記低彩度領域Ｒとの交点が複数存在する場合には、これら交点のうち、前記色信号Ａに最も近い交点を前記色信号Ｂとすることを特徴とする請求項３記載の色変換方法。
【請求項５】
所定の画像出力装置の色信号と、複数種の画像出力装置の色信号を相互変換するための共通色空間であるカラーマッピング色空間の色信号とを相互変換するためのプロファイルデータを作成するプロファイル作成装置であって、
前記所定の画像出力装置の離散的な色信号Ｃを均等色空間の色信号Ａへ変換する第１の変換手段と、
前記色信号Ａを前記カラーマッピング色空間の色信号Ｄへ変換する第２の変換手段と、
前記離散的な色信号Ｃと前記色信号Ｄとの対応情報からプロファイルを作成するプロファイル作成手段と、を有し、
前記第２の変換手段は、前記色信号Ａが前記均等色空間で予め定められた低彩度領域Ｒ内に存在する場合と、前記低彩度領域Ｒ外に存在する場合とで、異なる方法で前記カラーマッピング色空間の色信号への変換を行うことを特徴とするプロファイル作成装置。
【請求項６】
前記所定の画像出力装置のグレイライン上において前記色信号Ａと同じ明度を有する色信号を色信号Ｐとし、前記均等色空間で無彩色を示す色信号を色信号Ｏとしたとき、前記低彩度領域Ｒが、前記信号Ｐ及び信号Ｏを含む領域として規定されることを特徴とする請求項５記載のプロファイル作成装置。
【請求項７】
前記第２の変換手段は、前記色信号Ａが前記低彩度領域Ｒ外に存在する場合には、前記変換後の色信号として前記色信号Ａをそのまま出力し、前記色信号Ａが前記低彩度領域Ｒ内に存在する場合には、前記均等色空間において、前記色信号Ａと前記色信号Ｐとを通る直線Ｇと前記低彩度領域Ｒとの交点を色信号Ｂとしたとき、前記色信号Ｂと前記色信号Ｐとの距離ＢＰと前記色信号Ｂと前記色信号Ａとの距離ＢＡとの比で前記色信号Ｂと前記色信号Ｏとの距離ＢＯを分割する前記色信号Ｂと前記色信号Ｏとを通る直線上の色信号を前記色信号Ｄとして出力することを特徴とする請求項６記載のプロファイル作成装置。
【請求項８】
前記直線Ｇと前記低彩度領域Ｒとの交点が複数存在する場合には、これら交点のうち、前記色信号Ａに最も近い交点を前記色信号Ｂとすることを特徴とする請求項７記載のプロファイル作成装置。
【請求項９】
前記低彩度領域Ｒの大きさを制御するパラメータをユーザに設定させるためのユーザインタフェースを提示するＵＩ提示手段と、
前記ユーザインタフェースを介して設定された前記パラメータに基づいて前記低彩度領域Ｒを決定する領域決定手段を更に有することを特徴とする請求項５乃至請求項８の何れか１項に記載のプロファイル作成装置。
【請求項１０】
所定の画像出力装置の色信号と、複数種の画像出力装置の色信号を相互変換するための共通色空間であるカラーマッピング色空間の色信号とを相互変換するためのプロファイルデータを作成するプロファイル作成方法であって、
前記所定の画像出力装置の離散的な色信号Ｃを均等色空間の色信号Ａへ変換する第１の変換ステップと、
前記色信号Ａを前記カラーマッピング色空間の色信号Ｄへ変換する第２の変換ステップと、
前記離散的な色信号Ｃと前記色信号Ｄとの対応情報からプロファイルを作成するプロファイル作成ステップと、を有し、
前記第２の変換ステップは、前記色信号Ａが前記均等色空間で予め定められた低彩度領域Ｒ内に存在する場合と、前記低彩度領域Ｒ外に存在する場合とで、異なる方法で前記カラーマッピング色空間の色信号への変換を行うことを特徴とするプロファイル作成方法。
【請求項１１】
コンピュータに請求項１乃至請求項４の何れか１項に記載の色変換方法又は請求項１０に記載のプロファイル作成方法を実行させるためのプログラム。
【請求項１２】
コンピュータを請求項５乃至請求項９の何れか１項に記載のプロファイル作成装置として機能させるプログラム。
【請求項１３】
請求項１１又は請求項１２に記載のプログラムを格納したコンピュータ読み取り可能な記録媒体。
【発明の詳細な説明】
【技術分野】
【０００１】
本発明は色変換方法、プロファイル作成方法、プロファイル作成装置に関する。
【背景技術】
【０００２】
画像入出力装置の色特性は機種毎に様々であるため、カラー画像データを異なる機種間で利用する場合、再現される色が合わないという課題がある。この課題を解決し、異なる装置間においてカラー画像の色再現を統一する方法として、カラーマネージメントシステム（以下、ＣＭＳ）が利用されている。
【０００３】
ＣＭＳでは、同一のカラー画像を複数の画像入出力装置（例えば、カラーコピー機、カラーモニタ、デジタルカメラ、カラープリンタ）で良好に再現するため、各装置の色信号を相互変換するための共通色空間（以下カラーマッピング色空間とする）を利用する。装置間の色合わせは、当該カラーマッピング色空間の色信号が一致するように、入力系装置の色信号を出力系装置の色信号へ変換することで実現する。ここで、入力系装置とは、色合わせの目標となる装置を示し、例えば、カラープリンタＢの色をカラープリンタＡの色に合わせる場合、カラープリンタＡが入力系装置、カラープリンタＢが出力系装置となる。また、カラーマッピング色空間としては、一般にＣＩＥＸＹＺ、ＣＩＥＬＡＢ等の測色値空間が利用される。すなわち、一般にＣＭＳでは、測色値が一致するように入力系装置の色信号を出力系装置の色信号に変換する。
【０００４】
しかしながら、特に低彩度領域においては、単純に測色値を合わせても良好な再現画像が得られないことがあり、ＣＭＳの課題となっている。例えば、カラープリンタの印刷において白色信号にインクやトナーを使用すると、たとえ測色値が入力系装置に一致しても「色かぶり」と知覚されて印象が悪い。そのため、通常カラープリンタが印刷する白色は、画像記録媒体（印刷用紙）そのものの色であり、インクやトナーは使用されない。つまり、カラープリンタの白色は、入力系装置の測色値に関わらず出力系装置固有の色で再現する必要がある。
【０００５】
また、中間明度のグレイも、出力系装置固有の白色から黒色へ色度が連続的に変化するように印刷色を決定するため、入力系装置の測色値に関わらず出力系装置固有の色で再現することが望まれる。さらに、黒色も装置のダイナミックレンジを最大限に利用するために、入力系装置の測色値に関わらず出力系装置固有の最大濃度色または最大濃度色に近い色での印刷が望まれることがある。つまり、カラーマッピング色空間に測色値空間を利用する従来の方法は、低彩度領域において良好な再現が得られないという課題がある。
【０００６】
上記課題を解決するため、カラーマッピング色空間の改良が検討されている。例えば、装置の白色、黒色を含むグレイの色信号が無彩色（彩度＝０）を示す色信号となるように、測色値空間の等明度面を平行移動した改良カラーマッピング色空間が提案されている。図１２は、このような改良カラーマッピング色空間と、測色値空間であるＣＩＥＬＡＢ色空間との関係例を示す図である。図において横軸はＣＩＥＬＡＢ色空間のａ＊、縦軸は同ｂ＊を示す。また、図中の点Ｐは装置のグレイを示す点、点Ｐ'は測色値空間の無彩色を示す点、５００１はＣＩＥＬＡＢ色空間における装置の色再現範囲、５００２は改良カラーマッピング色空間における装置の色再現範囲を示す。同図に示すように、改良カラーマッピング色空間の色信号は、ＣＩＥＬＡＢ色空間の色信号をベクトルＰＰ'で平行移動したものである。すべての明度に関して上記変換（平行移動）を実施する。改良カラーマッピング色空間では、各装置固有で測色値の異なるグレイを同一直線上の点で表わすことが可能であり、さらに、明度の等しいグレイは同一の色信号で扱うことができる。このような、グレイラインを移動させることにより色かぶりを防止する技術は、例えば特許文献１に記載されている。
【０００７】
【特許文献１】特開２００１−３２６８２６号公報
【発明の開示】
【発明が解決しようとする課題】
【０００８】
しかしながら、上述した改良カラーマッピング色空間を用いた場合、低彩度部分の再現性は改良されるが、低彩度部の改良が有彩色に影響を与え、逆に有彩色の再現性が悪化するという課題がある。例えば、肌色などの重要色は、装置によらず同一の測色値で再現することが望まれるが、改良カラーマッピング色空間では、測色値の等しい色は装置によって異なった色信号で表わされる。そのため、改良カラーマッピング色空間上で色信号が一致するように色信号を変換しても、良好な再現画像が得られない。
【０００９】
本発明は上記問題に鑑みてなされたものであり、低彩度部分の再現性と有彩色の再現性とを両立させることのできる色変換方法及び当該色変換方法に用いるプロファイルデータの作成方法及び装置を提供することにある。
【課題を解決するための手段】
【００１０】
上述の目的を達成するため、本発明の色変換方法は、所定の画像出力装置の色信号を、複数種の画像出力装置の色信号を相互変換するための共通色空間であるカラーマッピング色空間の色信号へ変換する色変換方法であって、所定の画像出力装置の色信号を均等色空間の色信号Ａへ変換する第１の変換工程と、均等色空間の色信号Ａをカラーマッピング色空間の色信号へ変換する第２の変換工程とを有し、第２の変換工程は、均等色空間で予め定められた低彩度領域Ｒ内の色信号と、低彩度領域Ｒ外の色信号とにおいて、異なる方法でカラーマッピング色空間の色信号への変換を行うことを特徴とする。
【００１１】
また、上述の目的は、所定の画像出力装置の色信号と、複数種の画像出力装置の色信号を相互変換するための共通色空間であるカラーマッピング色空間の色信号とを相互変換するためのプロファイルデータを作成するプロファイル作成装置であって、所定の画像出力装置の離散的な色信号Ｃを均等色空間の色信号Ａへ変換する第１の変換手段と、色信号Ａをカラーマッピング色空間の色信号Ｄへ変換する第２の変換手段と、離散的な色信号Ｃと色信号Ｄとの対応情報からプロファイルを作成するプロファイル作成手段と、を有し、第２の変換手段は、色信号Ａが均等色空間で予め定められた低彩度領域Ｒ内に存在する場合と、低彩度領域Ｒ外に存在する場合とで、異なる方法でカラーマッピング色空間の色信号への変換を行うことを特徴とする本発明のプロファイル作成装置によっても達成される。
【００１２】
また、上述の目的は、所定の画像出力装置の色信号と、複数種の画像出力装置の色信号を相互変換するための共通色空間であるカラーマッピング色空間の色信号とを相互変換するためのプロファイルデータを作成するプロファイル作成方法であって、所定の画像出力装置の離散的な色信号Ｃを均等色空間の色信号Ａへ変換する第１の変換ステップと、色信号Ａをカラーマッピング色空間の色信号Ｄへ変換する第２の変換ステップと、離散的な色信号Ｃと色信号Ｄとの対応情報からプロファイルを作成するプロファイル作成ステップと、を有し、第２の変換ステップは、色信号Ａが均等色空間で予め定められた低彩度領域Ｒ内に存在する場合と、低彩度領域Ｒ外に存在する場合とで、異なる方法でカラーマッピング色空間の色信号への変換を行うことを特徴とする本発明のプロファイル作成方法によっても達成される。
【００１３】
また、上述の目的は、コンピュータ装置に本発明の色変換方法又はプロファイル作成方法を実行させるプログラム、もしくはコンピュータ装置を本発明のプロファイル作成装置として機能させるプログラム、又はこれらいずれかのプログラムを格納したコンピュータ読み取り可能な記録媒体によっても達成される。
【発明の効果】
【００１４】
このような構成により、本発明によれば、低彩度部分の再現性と有彩色の再現性とを両立させることができる。
【発明を実施するための最良の形態】
【００１５】
以下、図面を参照して本発明をその好適な実施形態に基づき詳細に説明する。
■＜第１の実施形態＞
＜ＣＭＳ＞
まず、本発明に係る色変換装置の一実施形態としてのＣＭＳの概要を図１１を用いて説明する。図１１に示すように、本実施形態におけるＣＭＳでは、入力系装置プロファイル変換部３００１、カラーマッピング部３００２、出力系装置プロファイル変換部３００３、入力系装置プロファイル格納部３００４、出力系装置プロファイル格納部３００５、とによって、入力系装置の色信号ＲＧＢを出力系装置の色信号Ｒ'Ｇ'Ｂ'へ変換する。
【００１６】
入力系装置プロファイル変換部３００１は、例えば、入力系装置プロファイル格納部３００４に格納される入力系装置プロファイルを用いて、入力系装置の色信号ＲＧＢをカラーマッピング色空間の色信号Ｌａｂへ変換する。ここで用いる入力系装置プロファイルは、例えば、離散的な入力色信号ＲＧＢに関する出力色信号Ｌａｂを保持したルックアップテーブル（以下ＬＵＴとする）であり、入力系装置プロファイル変換部３００１は、当該ＬＵＴを用いた公知の補間方法によって、任意の入力色信号ＲＧＢを対応する出力色信号Ｌａｂへ変換する。
【００１７】
カラーマッピング部３００２は、入力色信号Ｌａｂを出力系装置で再現可能な色信号Ｌ'ａ'ｂ'へ変換する。入力系装置と出力系装置の色再現範囲が等しい場合、カラーマッピング部３００２は、一般に入力色信号Ｌａｂをそのまま出力する。入力系装置と出力系装置の色再現範囲が異なる場合、カラーマッピング部３００２は、公知の色再現範囲圧縮方法または伸張方法によって、入力色信号Ｌａｂを出力色信号Ｌ'ａ'ｂ'へ変換する。出力系装置プロファイル変換部３００３は、例えば、出力系装置プロファイル格納部３００５に格納される出力系装置プロファイルを用いて、カラーマッピング色空間の色信号Ｌ'ａ'ｂ'を出力系装置の色信号Ｒ'Ｇ'Ｂ'へ変換する。ここで用いる出力系装置プロファイルは、例えば、離散的な出力色信号Ｒ'Ｇ'Ｂ'に関する入力色信号Ｌ'ａ'ｂ'を保持したＬＵＴであり、出力系装置プロファイル変換部３００３は、当該ＬＵＴを用いた公知の検索、補間方法によって、任意の入力色信号Ｌ'ａ'ｂ'を対応する出力色信号Ｒ'Ｇ'Ｂ'へ変換する。
【００１８】
以下、第１の実施形態として、このようなＣＭＳにおいて、装置の色信号（ＲＧＢおよびＲ'Ｇ'Ｂ'）からカラーマッピング色空間の色信号（ＬａｂおよびＬ'ａ'ｂ'）を求めるための色変換方法について説明する。また、第２の実施形態として、このようなＣＭＳにおいて、入力系プロファイル格納部３００４および出力系プロファイル格納部３００５に格納されるプロファイルの作成方法について説明する。また、第３の実施形態として、第２の実施形態で作成したプロファイルをインタラクティブに調整して作成する作成方法について説明する。
【００１９】
＜色変換方法＞
図１は、本発明の第１の実施形態に係る色変換方法を説明する模式図であり、均等色空間の一例としてのＣＩＥＬＡＢ色空間における等明度面を示している。同図において、点Ｐは画像出力装置固有のグレイを示す点、点Ｏは無彩色を示す点、１０１は点Ｐおよび点Ｏを含む低彩度領域Ｒの最外郭、また点Ｂは当該領域Ｒの最外郭１０１上の任意の点である。このとき、本実施形態の色変換方法は、例えば、線分ＢＰ上の点Ａが示す色を線分ＢＯ上の点Ｄが示す色へＰＢ：ＰＡとＯＢ：ＯＤの比が等しくなるように変換することを特徴とする。また、領域Ｒ外の色は変換しない（入力色信号をそのまま出力する）ことを特徴とする。
【００２０】
これら特徴によって、本実施形態の色変換方法は、画像出力装置によって異なる測色値を有するグレイＰを点Ｏが示す同一の色信号となるように変換し、肌色等の上記領域Ｒ外の色は、同一の測色値の色を同一の色信号となるように変換することが可能となる。
【００２１】
＜色変換手順＞
次に、図２のフローチャートを用いて、本実施形態の色変換手順を示す。
まずステップＳ２０１において、後述するパラメータや色変換テーブル、グレイラインテーブル等を取得をはじめとした初期設定処理を行う。次にステップＳ２０２において、画像出力装置の色信号ＲＧＢを取得する。次にステップＳ２０３において、ステップＳ２０２で取得した色信号ＲＧＢを測色色空間の色信号Ｌａｂ((L*,a*,b*)＝(Ｌ,ａ,ｂ))へ変換する。当該変換は、ステップＳ２０１にて取得した色変換テーブルを利用して、公知の補間方法によって実施する。色変換テーブルは、例えば、８ビットＲＧＢ色信号の９スライスの格子点（{Ｒ,Ｇ,Ｂ}={０,０,０},{０,０,３２},{０,０,６４},...,{０,０,２５５},{０,３２,０},...,{２５５,２５５,２５５}）に対応する色票画像を画像出力装置で出力し、この出力画像の色を測定し、その測色値Ｌａｂを格納したテーブルである。尚、ステップＳ２０３で変換された色信号Ｌａｂを以下では色信号Ａとして説明する。
【００２２】
次にステップＳ２０４において、色信号Ａの明度における画像出力装置のグレイライン上の色信号Ｐを求める。当該色信号Ｐは、ステップＳ２０１にて取得したグレイラインテーブルを利用して算出する。詳細は後述する。次にステップＳ２０５において、色信号Ａが低彩度領域Ｒ内の色信号か否かを判断し、低彩度領域Ｒ内の色信号であればステップＳ２０６に進み、低彩度領域Ｒ外の色信号であればステップＳ２１０に進む。上述したように、低彩度領域Ｒは色信号Ｐと無彩色の色信号Ｏとを含む低彩度領域である。
【００２３】
色信号Ａが低彩度領域Ｒの領域内の色信号である場合、ステップＳ２０６において、色信号Ｐと色信号Ａとを比較し、両者が同じ色信号である場合はステップＳ２１１へ進み、両者が同じ色信号でない場合は、ステップＳ２０７へ進む。次にステップＳ２０７において、色信号Ｐと色信号Ａとを結ぶ直線と、低彩度領域Ｒの最外郭とから、その交点が示す色信号Ｂを求める。尚、交点が２つ存在する場合には、各交点について色信号Ａと色信号Ｐとの距離を求め、色信号Ｐよりも色信号Ａに近い交点（色信号Ａとの距離＜色信号Ｐとの距離、となる交点）を色信号Ｂとする。
【００２４】
ステップＳ２０８において、色信号Ｂと色信号Ｐとを結ぶ線分ＢＰ上の色信号を、色信号Ｂと色信号Ｏとを結ぶ線分ＢＯ上の色信号へ変換する変換関数によって、色信号Ａを変換し、出力色信号Ｄ((L*,a*,b*)＝(Ｌ,ａ',ｂ'))を求め、ステップＳ２０９へ進む。
【００２５】
一方、ステップＳ２０５において色信号Ａが領域Ｒの領域外の色信号であった場合は、ステップＳ２１０において、出力色信号Ｄに色信号Ａをそのまま設定し（変換を行わずに）、ステップＳ２０９へ進む。また、ステップＳ２０６において色信号Ｐと色信号Ａとが同じ色信号であった場合は、ステップＳ２１１において、出力色信号Ｄに色信号Ｏを設定し、ステップＳ２０９へ進む。最後にステップＳ２０９において、ステップＳ２０８またはステップＳ２１０またはステップＳ２１１で設定された出力色信号Ｄを出力する。
【００２６】
以下、各工程の処理内容に関してさらに詳細に説明する。
＜低彩度領域Ｒ＞
図３は、本実施形態で用いる低彩度領域Ｒの一例を説明する模式図であり、ＣＩＥＬＡＢ色空間における等明度面を示している。本実施形態における低彩度領域Ｒは、画像出力装置のグレイを示す色信号Ｐと、無彩色の色信号Ｏとを通る直線を主軸とする楕円によって定義される。同図において、横軸はＣＩＥＬＡＢ色空間のａ＊、縦軸は同ｂ＊を示す。図中の点Ｐは色信号Ｐを示す点、点Ｏは色信号Ｏを示す点、３００１は領域Ｒの最外郭、また、θは横軸ａ＊と直線ＯＰとのなす角度、点Ｇは楕円の中心を示す。点Ｐの座標（Ｐa,Ｐb）と、点Ｏの座標（0,0）とから、点Ｇの座標（Ｇa,Ｇb）は以下の式で求められる。
Ｇa＝Ｐa／２      ・・・（１）
Ｇb＝Ｐb／２      ・・・（２）
【００２７】
また、点Ｏと点Ｐとの距離Ｅは、以下の式で求められる。
Ｅ＝√（Ｐa2＋Ｐb2）  ・・・（３）
αおよびβをステップＳ２０１で取得されるパラメータとするとき、楕円の主軸の長さＬ1、Ｌ2は、以下の式で求められる。
Ｌ1＝Ｅ・α  ・・・（４）
Ｌ2＝Ｌ1・β  ・・・（５）
【００２８】
パラメータαは１以上の値（例えば１.８）であり、値が大きいと領域Ｒに含まれる色信号の変化は緩やかになるが、変換の影響する範囲が広がる。逆に値が小さいと変換の影響する範囲は狭まるが、領域Ｒに含まれる色信号が急激に変化し、階調不良となることがある。パラメータβは楕円形状を決定するパラメータで、１であれば円となる。パラメータβも、値が大きいと変換の影響する範囲が広がり、値が小さいと領域Ｒの色信号が急激に変化し、階調不良となることがある。
【００２９】
また、図３に示すように、点Ｇを原点とし、ベクトルＯＰと当該ベクトルＯＰを９０度反時計方向に回転させたベクトルとによるｓｔ座標系を考える。図３において、（a*,b*）座標から(s,t)座標への変換は、以下の式で行われる。
【００３０】
2005353001.tif 000003
【００３１】
ただし、Ｍは以下の式で与えられるマトリクスである。
2005353001.tif 000004
【００３２】
ここでθは図３に示される角度であり、以下の式によって与えられる。
θ＝atan(Ｐb／Ｐa)   ・・・（８）
また、(s,t)座標から(a*,b*)座標への変換は、以下の式で行われる。
2005353001.tif 000005
【００３３】
＜色信号Ｐの算出方法＞
次に、Ｓ２０４における色信号Ｐの算出方法を詳細に説明する。図４は、図２のステップＳ２０１で取得するグレイラインテーブルの一例を示す図である。同図に示すように、本実施形態のグレイラインテーブルは、離散的なグレイレベルＧＬに関する測色値ＣＩＥＬＡＢを格納したテーブルである。当該グレイレベルＧＬは、Ｒ、Ｇ、Ｂの各信号が等しい色信号であり、例えば、グレイレベル３２（ＧＬ＝３２）の値は、（Ｒ,Ｇ,Ｂ）＝（３２,３２,３２）を画像出力装置で出力した際の測色値を格納する。当該グレイラインテーブルを用いて、任意の明度Ｌにおける色度座標ａ＊、ｂ＊の値は、公知の補間方法によって求められる。すなわち、色信号Ｐは、ステップＳ２０１で取得されたグレイラインテーブルに基づき、公知の補間方法によって、色信号Ａの明度値Ｌに対応するグレイの色度座標を算出し、当該色度座標と明度値Ｌとによって生成することができる。
【００３４】
＜内外判定方法＞
次に、図２のステップＳ２０５でおこなう内外判定の方法を詳細に説明する。本実施形態において、色信号Ａが領域Ｒの領域内か否かを判断するには、以下の判定処理を行う。すなわち、まず式（６）を用いて、色信号Ａの色度座標（ａ,ｂ）を(s,t)座標系の座標値（Ｓ,Ｔ）に変換する。次に、以下の評価関数Ｑを計算する。
Ｑ＝√((２Ｓ／Ｌ1)2＋（２Ｔ／Ｌ2）2)    ・・・（１０）
ここで、Ｌ1、Ｌ2は、それぞれ式（４）、式（５）によって与えられる、楕円の主軸の長さである。式（１０）の評価関数Ｑの値が１のとき、色信号Ａ（Ｓ，Ｔ）は楕円上にあり、当該Ｑが１未満であれば、色信号Ａは楕円内、つまり低彩度領域Ｒの領域内にあり、当該Ｑが１より大きければ、色信号Ａは楕円外、つまり低彩度領域Ｒの領域外にある。なお、楕円上の色信号Ａを楕円内、楕円外をどちらかに属するものとして処理する必要がある場合、どちらに属するものとするかは任意に設定することが可能である。従って、以下の説明において、楕円上の色信号Ａは設定により領域内又は領域外の信号として取り扱われる。ただし、後段の処理のしやすさという点においては、楕円上の色信号Ａは領域外の色信号として取り扱うことが好ましい。
【００３５】
＜色信号Ｂの算出方法＞
次に、図２のステップＳ２０７における色信号Ｂの算出方法を詳細に説明する。色信号Ｂは、色信号Ｐと色信号Ａとを結ぶ直線と、低彩度領域Ｒの最外郭との交点である。色信号Ｐと色信号Ａの(s,t)座標系における座標値をそれぞれＰst（Ｐｓ，Ｐｔ）とＡst（Ａｓ，Ａｔ）とするとき、色信号Ｐと色信号Ａとを結ぶ直線上の色信号（Ｓ，Ｔ）は、次の式を満足する。
Ｔ＝(Ａｔ−Ｐｔ)／(Ａｓ−Ｐｓ)ｘ(Ｓ−Ｐｓ)＋Ｐｔ    ・・・（１１）
【００３６】
また、低彩度領域Ｒの最外郭上の色信号（Ｓ、Ｔ）は、上記式（１０）において評価関数Ｑの値が１となるため、次の式を満足する。
√((２Ｓ／Ｌ1)2＋（２Ｔ／Ｌ2）2)＝１    ・・・（１２）
色信号Ｂの(s,t)座標系における座標値Ｂst（Ｓ，Ｔ）は、上記式（１１）と式（１２）との連立方程式を解くことによって求められる。尚、上記連立方程式の解が２つあり、交点が２点存在する場合には、各交点について上記ＰstとＡstとの距離を求め、ＰstよりもＡstに近い交点をＢstとする。
【００３７】
つまり、本実施形態において、色信号Ｂを求めるには、以下の算出処理を行う。すなわち、まず式（６）を用いて、色信号Ｐおよび色信号Ａの色度座標を(s,t)座標系の座標値に変換する。次に、上記式（１１）と式（１２）との連立方程式を解くことによって、色信号Ｂの(s,t)座標系における座標値を算出する。最後に、上記式（９）によって(s,t)座標系から(a*,b*)座標系に変換し、色信号Ｂの(a*,b*)座標系における座標値を算出する。
【００３８】
また、色信号Ｂは以下の方法によっても求めることができる。色信号Ｐ＝(Ｌ，Ｐa，Ｐb)と色信号Ａ＝(Ｌ，ａ，ｂ)とを通る直線Ｌpa上の色信号を色信号Ｆ＝（Ｌ，Ｕ，Ｖ）とする。この時、色信号Ｆのｂ*の値Ｖは以下の式（１３）を用いて色信号Ｆのａ*の値Ｕから求められる。
Ｖ(Ｕ)＝(ｂ−Ｐb)／(ａ−Ｐa)ｘ(Ｕ−Ｐa)＋Ｐb・・・（１３）
【００３９】
つまり、直線Ｌpa上の色信号Ｆは、Ｕの値によって一意に表すことができ、これをＦ(Ｕ)＝（Ｌ,Ｕ,Ｖ（Ｕ））とする。差が十分に小さい２つのＵの値、Ｕ１、Ｕ２に対応する色信号Ｆ（Ｕ１）とＦ（Ｕ２）の内、１つが領域Ｒの領域内であり、１つが当該領域Ｒの領域外であるとき、色信号Ｂは当該色信号の１つ（例えばＦ（Ｕ１））によって与えられる。
【００４０】
図５は、本実施形態における色信号Ｂの第２の算出手順を示すフローチャートである。
まずステップＳ５０１において、領域Ｒの領域内の色信号に対応するＵの値Ｕminと、領域Ｒの領域外と思われる色信号に対応するＵの値Ｕmaxとの初期値を設定する。例えば、ＵminにはＰaを設定し、Ｕmaxには、Ｐa＜ａであれば１０とし、Ｐa＞ａであれば−１０を設定する。次にステップＳ５０２において、Ｕmaxに対応する色信号が領域Ｒの領域内か否かを、式（１０）を用いた内外判定方法によって判定し、領域内であればステップＳ５０３に進み、領域外であればステップＳ５０４に進む。ここで、Ｕmaxに対応する色信号は、（Ｌ,Ｕmax,Ｖ（Ｕmax））で与えられる。尚、Ｖ（Ｕmax）は、式（１３）を用いて求められる。
【００４１】
ステップＳ５０２でＵmaxに対応する色信号が領域内と判断された場合は、ステップＳ５０３において、Ｕmaxに対応する色信号が領域Ｒの領域外となるようにＵmaxの修正を行ってステップＳ５０２へ戻る。Ｕmaxは、例えば以下の式によって修正する。
補正後のＵmax＝補正前のＵmax×２・・・（１４）
ステップＳ５０２で領域外と判断された場合は、ステップＳ５０４において、以下の式でＵmaxとＵminとの平均値Ｕaveを求める。
Ｕave＝（Ｕmax＋Ｕmin）／２    ・・・（１５）
【００４２】
次にステップＳ５０５において、Ｕaveに対応する色信号Ｆ(Ｕave)が領域Ｒの領域内か否かを、内外判定方法によって判定し、領域内であればステップＳ５０７に進み、領域外であればステップＳ５０６に進む。ステップＳ５０５で領域外と判断された場合は、ステップＳ５０６において、ＵmaxにＵaveを設定して更新し、ステップＳ５０８へ進む。ステップＳ５０５で領域内と判断された場合は、ステップＳ５０７において、ＵminにＵaveを設定して更新し、ステップＳ５０８へ進む。ステップＳ５０８では、ＵmaxとＵminとの差を計算し、その絶対値が所定の値ＳＨ未満であればステップＳ５０９へ進み、ＳＨ以上であればステップＳ５０４へ戻る。ステップＳ５０８でＵmaxとＵminの差の絶対値が所定の値ＳＨ未満であった場合、色信号Ｂは、例えば、（Ｌ,Ｕmin,Ｖ（Ｕmin））で与えられる。ステップＳ５０９において、色信号Ｂを出力する。
【００４３】
＜変換関数＞
次に、図２のステップＳ２０８で色信号Ａを色信号Ｄに変換するために用いる変換関数について詳細に説明する。上述のように変換関数は、線分ＢＰ上の色信号を線分ＢＯ上の色信号へ変換する関数であり、線分ＢＰ上の色信号である色信号Ａ（Ｌ,ａ,ｂ）を線分ＢＯ上である色信号Ｄ（Ｌ,ａ',ｂ'）へ変換する。図６は、本実施形態において利用可能な変換関数の一例を示す図であり、横軸が入力値である線分ＢＰ上の色信号、縦軸が出力値である線分ＢＯ上の色信号を示す。図６に示す変換関数は線形変換であり、線分ＢＰの距離と線分ＢＡの距離との比が線分ＢＯの距離と線分ＢＤの距離との比に等しくなるように変換される。すなわち、図６に示す変換関数を用いた場合、色信号Ｄは以下の式（１６）、式（１７）によって求められる。
ａ'＝(ａ−Ｂa)／(Ｐa−Ｂa)ｘ(Ｏa−Ｂa)＋Ｂa    ・・・（１６）
ｂ'＝(ｂ−Ｂb)／(Ｐb−Ｂb)ｘ(Ｏb−Ｂb)＋Ｂb    ・・・（１７）
なお、ここで、点Ｏの座標を（Ｌ,Ｏa,Ｏb）、点Ｂの座標を（Ｌ,Ｂa,Ｂb）とする。
【００４４】
以上述べたように本実施形態の色変換方法は、画像出力装置の色信号をカラーマッピング色空間の色信号へ変換するための色変換方法において、予め定めた低彩度領域に含まれる色については、装置によって異なる測色値の色（グレイ）をカラーマッピング色空間において同一の色信号となるように変換し、それ以外の、肌色等の有彩色を含む領域では、装置によらず、同一の測色値の色をカラーマッチング色空間においても同一の色信号となるように変換することが可能となる。
【００４５】
その結果、ＣＭＳにおける「色かぶり」を抑制すると共に装置のダイナミックレンジを最大限に活用することが可能となり、さらに、肌色等の有彩色は、測色的に等しい色で再現することが可能となる。
【００４６】
尚、実施形態では、色空間としてＣＩＥＬＡＢを利用したが、その他の均等色空間を利用しても良い。より好適には、ＣＡＭの色空間が使用できる。
【００４７】
■＜第２の実施形態＞
本実施形態では、ＣＭＳにおいて利用される画像出力装置のプロファイルを第１の実施形態に示した色変換方法を用いて作成する、プロファイル作成装置について説明する。
【００４８】
＜機能構成＞
図７は、本実施形態に係るプロファイル作成装置の機能構成例を示すブロック図である。図７に示すように、本実施形態のプロファイル作成装置７００は、データ入力部７０１、測色値変換テーブル格納部７０２、パラメータ格納部７０３、補間計算部７０４、グレイラインテーブル格納部７０５、データ出力部７０６、色信号生成部７０７、低彩度領域変換部７０８、出力プロファイル格納部７０９、によって構成される。
【００４９】
測色値変換テーブル格納部７０２は、データ入力部７０１を介して画像出力装置の測色値変換テーブルを入力し、格納する。本実施形態のプロファイル作成装置は、例えば図１１に示したＣＭＳにおいて画像出力装置の色信号をカラーマッピング色信号に変換するためのプロファイル（入力系装置プロファイル格納部３００４に格納されるプロファイル）を作成する。
【００５０】
測色値変換テーブルは、第１の実施形態において説明したように、画像出力装置の色再現特性を示す測色値のＬＵＴであり、例えば、８ビット９スライス格子点のＲＧＢ色信号（{Ｒ,Ｇ,Ｂ}={０,０,０},{０,０,３２},{０,０,６４},...,{０,０,２５５},{０,３２,０},...,{２５５,２５５,２５５}）で構成される色票画像を当該画像出力装置で出力し、この出力画像の色を測定することによって取得する。パラメータ格納部７０３は、低彩度領域Ｒの形状を決定するためのパラメータ（式（４）のαおよび式（５）のβ）をあらかじめ格納しておくか、データ入力部７０１を介して取得して格納する。補間計算部７０４は、測色値変換テーブル格納部７０２に格納された画像出力装置の測色値変換テーブルを用いて、任意の入力ＲＧＢ色信号に対応する当該画像出力装置の出力色を公知の補間方法で計算し、出力する。
【００５１】
グレイラインテーブル格納部７０５は、色信号生成部７０７で離散的なグレイラインの色信号を生成し、補間計算部７０４によって当該グレイラインの色信号に対応する画像出力装置の出力色を計算した結果を格納する。グレイラインテーブルは、例えば第１の実施形態において説明した図４に示すテーブルである。低彩度領域変換部７０８は、測色値変換テーブル格納部７０２に格納された画像出力装置の測色値変換テーブルと、グレイラインテーブル格納部７０５に格納されたグレイラインテーブルと、パラメータ格納部７０３に格納されたパラメータとを用いて、色信号生成部７０７で生成した、ＬＵＴを構成する離散的なＲＧＢ色信号を第１の実施形態で説明した色変換方法に基づいて変換し、出力プロファイル格納部７０９に格納する。ＬＵＴを構成する離散的なＲＧＢ色信号は、例えば、８ビット９スライス格子点の色信号（{Ｒ,Ｇ,Ｂ}={０,０,０},{０,０,３２},{０,０,６４},...,{０,０,２５５},{０,３２,０},...,{２５５,２５５,２５５}）である。出力プロファイル格納部７０９に格納された色信号は、データ出力部７０６を介して出力される。
【００５２】
＜プロファイル作成手順＞
次に、図８のフローチャートを用いて、本実施形態におけるプロファイル作成手順について説明する。
まずステップＳ８０１において、初期設定処理を行う。具体的には、低彩度領域Ｒの形状を決定するパラメータや画像出力装置の測色値変換テーブルを取得し、それぞれパラメータ格納部７０３、測色値変換テーブル格納部７０２へ格納する処理などを行う。次にステップＳ８０２において、ステップＳ８０１で取得した測色値変換テーブルを用いてグレイラインテーブルを作成し、グレイラインテーブル格納部７０５に格納する。次にステップＳ８０３において、プロファイルのＬＵＴを構成する８ビット９スライス格子点のＲＧＢ色信号を生成する。
【００５３】
続いて、当該ＲＧＢ色信号に対応するカラーマッピング色空間の色信号を第１の実施形態で説明した方法で求めるため、図２に示すフローチャートをステップＳ２０３から実行し、ステップＳ２０９でＲＧＢ色信号に対応するカラーマッピング色空間の色信号Ｄを求めた後、ステップＳ８０４に進む。
【００５４】
次にステップＳ８０４において、ステップＳ２０９で求めたカラーマッピング色空間の色信号を出力プロファイル格納部７０９に格納する。次にステップＳ８０５において、プロファイルのＬＵＴを構成するすべての色信号について対応するカラーマッピング色空間の色信号を格納したか否かを判断し、すべての色信号の格納が終了した場合は、ステップＳ８０６へ進み、そうでない場合はステップＳ８０３へ戻る。最後にステップＳ８０６において、出力プロファイル格納部７０９に格納された出力プロファイルを出力する。
【００５５】
以上述べたように、本実施形態のプロファイル作成装置は、第１の実施形態で説明した色変換方法を用いて、ＣＭＳで利用される画像出力装置のプロファイルを作成する。ＣＭＳは、本実施形態のプロファイル作成装置で作成されるプロファイルを入力系プロファイル格納部３００４に格納して使用することで、入力系装置のグレイラインを測色的には異なる出力系装置のグレイラインに変換するとともに、所定の低彩度領域外の肌色等の色は、入力系装置と同じ測色値の色で再現されるように、入力系装置の色信号を出力系装置の色信号へ変換することが可能となる。
【００５６】
尚、本実施形態では、グレイラインテーブルを測色値変換テーブル格納部７０２に格納した測色値変換テーブルを使用して作成したが、別途データ入力部７０１を介して入力しても良い。
【００５７】
■＜第３の実施形態＞
第３の実施形態は、第２の実施形態で説明したプロファイル作成装置に対し、低彩度領域Ｒの大きさをインタラクティブに調整する機能を付加したことを特徴とする。本実施形態に係るプロファイル作成装置の機能構成およびプロファイル作成手順は、第２の実施形態と同じであるため省略し、本実施形態において特徴的な機能についてのみ説明する。
【００５８】
＜パラメータ設定ＵＩ＞
本実施形態のプロファイル作成装置は、パラメータ格納部７０３に格納するパラメータの設定をインタラクティブに行うためのＵＩ（ユーザインタフェース）を提供する。この機能は例えば図７におけるデータ入力部７０１の機能の一部として実現され、例えば図８のステップＳ８０１においてパラメータを取得する工程においてユーザに提示される。
【００５９】
図９は本実施形態に係るプロファイル作成装置が提供するＵＩの一例を示す図であり、パラメータ設定部９０１、低彩度領域確認部９０２、ＯＫボタン９０３、キャンセルボタン９０４からなる。
【００６０】
このようなＵＩは、例えばプロファイル作成装置をパーソナルコンピュータとして市販されるような汎用コンピュータ装置を用いて実現する場合であれば、その表示装置に表示することによりユーザに提示される。そして、ユーザはＵＩ操作に通常用いられる、キーボードやマウスを代表とする入力デバイスを用いてＵＩを操作する。操作結果はＵＩにリアルタイムに反映され、ユーザは操作結果を確認しながらインタラクティブに設定値を決定することが可能である。
【００６１】
このようなＵＩ（ＧＵＩ）を用いたユーザ設定機能の提供そのものはコンピュータソフトウェアにおいて周知の技術であり、また本実施形態の本質とは直接関係しないため、これ以上の説明は省略する。
【００６２】
図９において、パラメータ設定部９０１は、パラメータを設定するためのコントロールで構成され、図９の例では、低彩度領域の大きさを指定するためのスライドバー９０５と低彩度領域確認部９０２に表示する等明度面の明度を指定するためのスライドバー９０６を有する。
【００６３】
スライドバー９０５は、式（４）のパラメータαの設定に利用され、バーを右に移動すると低彩度領域（領域Ｒ）が大きくなり、バーを左に移動すると低彩度領域が小さくなる。スライドバー９０５の移動に対応して、低彩度領域確認部９０２に表示される低彩度領域最外郭９０７の大きさが変化する。スライドバー９０６は、低彩度領域確認部９０２に表示される等明度面の明度の設定に利用され、バーを右に移動すると明度が大きくなり、バーを左に移動すると明度が小さくなる。スライドバー９０６の移動に対応して、低彩度領域確認部９０２に表示される明度が変化する。
【００６４】
低彩度領域確認部９０２は、色空間の等明度面を示すグラフであり、低彩度領域の最外郭９０７、装置のグレイライン上の色の色度点９０８、無彩色を示す点９０９を図示する。ＯＫボタン９０３が押下されるとスライドバーの位置によって定まるパラメータの値が設定され、パラメータ格納部７０３へ格納される。キャンセルボタン９０４が押下されると設定は無視される。
【００６５】
また、図１０はパラメータ設定部９０１の別のＵＩ例を示す図であり、式（４）のパラメータαを数値で直接指定するためのテキストボックス１００１、式（５）のパラメータβを指定するためのテキストボックス１００２、低彩度領域確認部９０２に表示する明度を指定するためのテキストボックス１００３を有する。
【００６６】
上述したように、パラメータαは１以上の値で、値が大きいと低彩度領域における色信号の変化は緩やかになるが、変換の影響する範囲が広がる。逆に値が小さいと変換の影響する範囲は狭まるが、低彩度領域の色信号が急激に変化し、階調不良となることがある。パラメータβは楕円形状を決定するパラメータで、１であれば円となる。パラメータβも、値が大きいと変換の影響する範囲が広がり、値が小さいと低彩度領域の色信号が急激に変化して、階調不良となることがある。ＯＫボタン９０３が押下されるとスライドバーの位置によって定まるパラメータの値が設定され、パラメータ格納部７０３へ格納される。キャンセルボタン９０４が押下されると設定は無視される。
【００６７】
なお、キャンセルボタン９０４が押下された場合には、例えば予め格納された初期値をα、βの値として用いる。図９の例ではβの指定はなされないので、ＯＫボタンが押下された場合でもβの値は例えば初期値を用いる。
【００６８】
本実施形態のプロファイル作成装置で作成されるプロファイルによれば、第２の実施形態のプロファイル作成装置で作成されるプロファイルと同様、低彩度領域内の色信号と低彩度領域外の色信号とにおいて、異なる変換を行う第１の実施形態の色変換方法を実施できる。そして、本実施形態のプロファイル作成装置によれば、低彩度領域の大きさをユーザがインタラクティブに設定することが可能となる。
【００６９】
＜その他の実施形態＞
尚、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００７０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７１】
その場合、プログラムの機能を有していれば、オブジェクトコード、インタプリタにより実行されるプログラム、ＯＳに供給するスクリプトデータ等、プログラムの形態を問わない。
【００７２】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００７３】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００７４】
つまり、本発明の機能処理をコンピュータで実現するためのプログラムデータファイルを複数のユーザに対してダウンロードさせるサーバ装置も本発明に含む。
【００７５】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００７６】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００７７】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００７８】
【図１】本発明の実施形態に係る色変換方法を説明する等明度断面の模式図である。
【図２】第１の実施形態の色変換手順を示すフローチャートである。
【図３】第１の実施形態の低彩度領域を説明する等明度断面の模式図である。
【図４】第１の実施形態におけるグレイラインテーブルの一例を示す図である。
【図５】第１の実施形態における色信号Ｂの取得手順を示すフローチャートである。
【図６】第１の実施形態における色変換関数を示す図である。
【図７】第２の実施形態における機能構成を示す図である。
【図８】第２の実施形態におけるプロファイル作成手順を示すフローチャートである。
【図９】第３の実施形態におけるパラメータ設定ＵＩを示す図である。
【図１０】第３の実施形態におけるパラメータ設定ＵＩを示す図である。
【図１１】本発明の実施形態に係るＣＭＳの概要を説明する図である。
【図１２】従来の色変換方法を説明する等明度断面の模式図である。
【図１】
2005353001.tif 000006
【図２】
2005353001.tif 000007
【図３】
2005353001.tif 000008
【図４】
2005353001.tif 000009
【図５】
2005353001.tif 000010
【図６】
2005353001.tif 000011
【図７】
2005353001.tif 000012
【図８】
2005353001.tif 000013
【図９】
2005353001.tif 000014
【図１０】
2005353001.tif 000015
【図１１】
2005353001.tif 000016
【図１２】
2005353001.tif 000017